(57)【要約】【課題】  セキュリティ強化を図ることができる通信装置を提供する。【解決手段】  装置本体に接近する人体を検知する人体検知センサ２、在宅か不在か選択する在宅／不在選択部３、通報先のメールアドレスを登録するアドレス登録部４、在宅／不在選択部３で不在が選択してある時に人体検知センサ２で人体を検知した場合に不法侵入者と判定する判定部５、判定部５で不法侵入者があると判定した場合にアドレス登録部４に登録してある通報先に通信制御する通信制御部６、通信制御部６から通報先にメール通信するメッセージを記憶するメッセージ記憶部７を備えるようにした。【選択図】        図１
2006215913.tif 000002
【特許請求の範囲】
【請求項１】
接近する物体を検知する検知センサと、在宅か不在かを選択して入力することができる在宅／不在選択部と、通報先のメールアドレスを登録するアドレス登録部と、前記在宅／不在選択部で不在が選択されている時に前記検知センサにより物体を検知した場合に不法侵入者かどうか判定する判定部と、該判定部により不法侵入者があると判定した場合に前記アドレス登録部に登録されている通報先との間の通信制御を行う通信制御部と、該通信制御部から前記通報先にメール通信するメッセージを記憶するメッセージ記憶部と、を備えることを特徴とする通信装置。
【請求項２】
請求項１に記載の通信装置において、前記判定部において不法侵入者があると判定した場合に、前記不法侵入者に対して音声で警告を促す音声出力部と、該音声出力部に出力する音声内容を記憶する音声記憶部とをさらに備えることを特徴とする通信装置。
【請求項３】
請求項１に記載の通信装置において、前記判定部において不法侵入者があると判定した場合に、前記不法侵入者に対して表示で警告を促す表示出力部と、該表示出力部に出力する表示内容を記憶する表示記憶部とをさらに備えることを特徴とする通信装置。
【請求項４】
請求項１乃至請求項３のいずれか一項に記載の通信装置を備えることを特徴とする画像形成装置。
【発明の詳細な説明】
【技術分野】
【０００１】
本発明は、通信機能を有する複写機やファクシミリ装置等の画像形成装置に適用して好適な通信装置に関する。
【背景技術】
【０００２】
最近の複写機やファクシミリ装置においては、節電を図るために、夜間など装置を使用しない時間帯に節電モード（省エネルギモード）に移行させる機能を有するものが主流になっている。節電モード機能を有する複写機やファクシミリ装置において、装置手前面に赤外線センサなどの人体検知センサ（人体以外の物体も検知するがユーザーを検知する目的のため、以下このように称する）を設け、ユーザーが通信装置に近づくと、節電モードから通常モードに移行させるようにした技術が知られている。
なお、先行文献としては、特許文献１として、電話機にその使用者の在、不在を検知し、不在のときに自動的に所定の不在機能を作動させることができる人体検知センサ付き電話機に関する技術等がある。
【特許文献１】特開平６−１６４７０２号公報
【発明の開示】
【発明が解決しようとする課題】
【０００３】
ところで、通信機能を有する複写機やファクシミリ装置においては、ユーザーが不在の際の不法侵入者による情報漏洩が大きな問題となっている。
情報漏洩を防止するためのセキュリティ技術が種種提案されているが、本発明は、人体検知センサに着目し、セキュリティ強化を図ることができる通信装置、及び通信装置を備えた画像形成装置を提供することを目的とする。
【課題を解決するための手段】
【０００４】
上記目的を達成するために、請求項１記載の発明は、接近する物体を検知する検知センサと、在宅か不在かを選択して入力することができる在宅／不在選択部と、通報先のメールアドレスを登録するアドレス登録部と、前記在宅／不在選択部で不在が選択されている時に前記検知センサにより物体を検知した場合に不法侵入者かどうか判定する判定部と、該判定部により不法侵入者があると判定した場合に前記アドレス登録部に登録されている通報先との間の通信制御を行う通信制御部と、該通信制御部から前記通報先にメール通信するメッセージを記憶するメッセージ記憶部と、を備える通信装置を特徴とする。
また請求項２に記載の発明は、請求項１に記載の通信装置において、前記判定部において不法侵入者があると判定した場合に、前記不法侵入者に対して音声で警告を促す音声出力部と、該音声出力部に出力する音声内容を記憶する音声記憶部とをさらに備えることを特徴とする。
また請求項３に記載の発明は、請求項１に記載の通信装置において、前記判定部において不法侵入者があると判定した場合に、前記不法侵入者に対して表示で警告を促す表示出力部と、該表示出力部に出力する表示内容を記憶する表示記憶部とをさらに備えることを特徴とする。
また請求項４に記載の発明は、請求項１乃至請求項３のいずれか一項に記載の通信装置を備える画像形成装置を特徴とする。
【発明の効果】
【０００５】
本発明においては、ユーザーが不在の時に、検知センサにより不法侵入者を検知した場合、予め登録してある通報先のメールアドレスに、不法侵入者を検知した旨をメール通信するようにしているので、簡単な構成で通信装置のセキュリティを強化することができる。
また、ユーザーが不在の時に、検知センサにより不法侵入者を検知した場合、スピーカなどの音声出力部で不法侵入者に警告を促したり、ＬＥＤなどの表示出力部で不法侵入者に警告を促したりすることにより、簡単な構成で通信装置のセキュリティを強化することができる。
従って、このような通信装置を画像形成装置に適用すれば、ユーザーが不在の際の不法侵入者による画像形成装置からの情報漏洩を防止することができるようになる。
【発明を実施するための最良の形態】
【０００６】
以下、本発明の実施の形態を図面に従って説明する。
図１は本発明の実施形態に係る通信装置の機能ブロック図である。本通信装置は、主制御部１、人体検知センサ２、在宅／不在選択部３、アドレス登録部４、判定部５、通信制御部６、メッセージ記憶部７、音声出力部８、音声記憶部９、表示出力部１０、表示記憶部１１を備える。
次に上記各手段の役割を説明する。
主制御部１は、ＣＰＵなどで構成され、通信装置全体の制御を行う手段である。人体検知センサ２は、赤外線センサなどからなり人体を検知する手段である。在宅／不在選択部３は、ユーザーが在宅にするか不在にするか選択する手段である。アドレス登録部４は、通報先のメールアドレスを登録する手段である。
判定部５は、在宅／不在選択部３で不在が選択してある時に、人体検知センサ２で人体を検知した場合に不法侵入者と判定する手段である。通信制御部６は、判定部５で不法侵入者があると判定した場合にアドレス登録部４に登録してある通報先に通信制御する手段である。
メッセージ記憶部７は、通信制御部６から通報先にメール通信するメッセージを記憶する手段である。音声出力部８は、不法侵入者に対して音声で警告を促す手段である。音声記憶部９は、音声出力部８に出力する音声内容を記憶する手段である。表示出力部１０は、不法侵入者に対して表示で警告を促す手段である。表示記憶部１１は、表示出力部１０に出力する表示内容を記憶する手段である。
【０００７】
図２は図１に示す通信装置における制御動作を示すフローチャートである。
この場合、先ず、ステップＳ１では、人体検知センサ２で人体検知状態を検知してステップＳ２に進む。ステップＳ２では、在宅／不在選択部３において在宅に選択してある時にはステップＳ１に戻り、在宅／不在選択部３において不在に選択してある時にはステップＳ３に進む。
ステップＳ３では、人体検知センサ２が人体を検知しない時には判定部５で不法侵入者がないと判断してステップＳ１に戻り、人体検知センサ２が人体を検知した時には判定部５で不法侵入者があると判断したらステップＳ４に進む。
ステップＳ４では、アドレス登録部４に登録してある通報先に、メッセージ記憶部７に記憶してあるメッセージを、通信制御部６を介してメール通信してステップＳ５に進む。
ステップＳ５では、不法侵入者に対し、音声記憶部９に記憶してある不法侵入者に警告を促す音声を音声出力部８から出力してステップＳ６に進む。
ステップＳ６では、不法侵入者に対し、表示記憶部１１に記憶してある不法侵入者に警告を促す表示を表示出力部１０から出力して処理を終了する。
従って、このような本実施の形態の通信装置によれば、ユーザーが不在の時に人体検知センサ２により不法侵入者を検知した場合、予めアドレス登録部４に登録してある通報先のメールアドレスに、不法侵入者を検知した旨をメール通信することでセキュリティを強化することができる。
また、ユーザーが不在の時に、人体検知センサ２により不法侵入者を検知した場合、スピーカなどの音声出力部８で不法侵入者に警告を促したり、ＬＥＤなどの音声出力部１０で不法侵入者に警告を促したりすることにより、簡単な構成で通信装置のセキュリティを強化することができる。
したがって、このような本実施の形態の通信装置を画像形成装置に適用すれば、ユーザーが不在の際の不法侵入者による画像形成装置からの情報漏洩を防止することができるようになる。
【図面の簡単な説明】
【０００８】
【図１】本発明の実施形態に係る通信装置の機能ブロック図。
【図２】図１に示す通信装置における制御動作を示すフローチャート。
【符号の説明】
【０００９】
１  主制御部、２  人体検知センサ、３  在宅／不在選択部、４  アドレス登録部、５  判定部、６  通信制御部、７  メッセージ記憶部、８  音声出力部、９  音声記憶部、１０  表示出力部、１１  表示記憶部
【図１】
2006215913.tif 000003
【図２】
2006215913.tif 000004